(57)【要約】【課題】筐体の音孔から筐体内に浸入した液体をスムーズに除去する。【解決手段】筐体３と、筐体３の内部に配された振動フィルム４とを備え、筐体３の壁には、振動フィルム４が発する音が通る音孔１１が設けられたスピーカ装置１において、筐体３の内面の音孔１１の周囲に設けられた放熱膜１５を備える。振動フィルム４は、少なくとも一部が放熱性を有する材料によって形成されている。【選択図】図２
2013038682.tif 000002
【特許請求の範囲】
【請求項１】
筐体と、該筐体の内部に配された振動板とを備え、前記筐体の壁には、前記振動板が発する音が通る音孔が設けられたスピーカ装置において、
前記筐体の内面の前記音孔の周囲に設けられた放熱部材を備え、
前記振動板は、少なくとも一部が放熱性を有する材料によって形成されている、ことを特徴とするスピーカ装置。
【請求項２】
前記音孔は、前記筐体の外面側の、前記音孔の周縁部に、前記音孔の径を拡げるように形成された拡径部を有する、請求項１に記載のスピーカ装置。
【請求項３】
前記筐体の内面の前記音孔の周囲に、複数の凹凸が形成されている、請求項１または２に記載のスピーカ装置。
【請求項４】
前記放熱部材は、放熱性を有する材料からなる薄膜である、請求項１ないし３のいずれか１項に記載のスピーカ装置。
【請求項５】
請求項１ないし４のいずれか１項に記載のスピーカ装置と、
前記スピーカ装置と電気的に接続された電子回路と、を備える電子機器。
【発明の詳細な説明】
【技術分野】
【０００１】
本発明は、防水構造を有するスピーカ装置、及びこのスピーカ装置を備える電子機器に関する。
【背景技術】
【０００２】
近年、携帯電話機の利用環境の拡大に伴い、防水型の携帯電話機が増えている。防水型の携帯電話機には、防水構造を有するスピーカ装置を備えるものがある。
【０００３】
この種のスピーカ装置としては、図５に示すように、音孔１１１を有する前面側筐体１０３と、筐体１０３の内部に配された振動板１０４と、音孔１１１と振動板１０４とを仕切るように配された防水膜１１０と、振動板１０４及び防水膜１１０を支持する背面側筐体１０６と、を備える構成が知られている（特許文献１参照）。防水膜１１０の外周部は、粘着剤によって背面側筐体１０６に固定されている。音孔１１１から前面側筐体１０３の内部に向かって液体が浸入した場合であっても、防水膜１１０によって、液体が振動板１０４に付着することが防止されている。
【先行技術文献】
【特許文献】
【０００４】
【特許文献１】特開平８−７９８６５号公報
【発明の概要】
【発明が解決しようとする課題】
【０００５】
ところで、上述した特許文献１に記載のスピーカ装置においても、音孔から前面側筐体の内部に向かう液体の浸入を防ぐことができず、音孔から浸入した液体が防水膜に付着し、前面側筐体の内部に浸入した液体が除去されにくいという問題があった。
【０００６】
また、特許文献１に記載の構成では、防水膜に付着した液滴が更に振動板側に浸入するおそれもあり、音孔から筐体内に浸入した液体を、速やかに筐体内から除去することが望まれている。
【０００７】
そこで、本発明は、上記関連する技術の課題を解決することができるスピーカ装置及び電子機器を提供することを目的とする。本発明の目的の一例は、音孔から浸入した液体を除去することができるスピーカ装置及び電子機器を提供することを目的とする。
【課題を解決するための手段】
【０００８】
上述した目的を達成するため、本発明に係るスピーカ装置は、筐体と、筐体の内部に配された振動板とを備え、筐体の壁には、振動板が発する音が通る音孔が設けられたスピーカ装置において、筐体の内面の、音孔の周囲に設けられた放熱部材を備える。振動板は、少なくとも一部が放熱性を有する材料によって形成されている。
【０００９】
また、本発明に係る電子機器は、本発明のスピーカ装置と、スピーカ装置と電気的に接続された電子回路と、を備える。
【発明の効果】
【００１０】
本発明によれば、筐体の音孔から筐体の内部に浸入した液体をスムーズに除去することが可能になり、スピーカ装置の防水性を向上することができる。
【図面の簡単な説明】
【００１１】
【図１】実施形態のスピーカ装置を示す平面図である。
【図２】実施形態のスピーカ装置を示す断面図である。
【図３】実施形態のスピーカ装置において、筐体の内面の音孔の周囲に形成された放熱部材を説明するための断面図である。
【図４】実施形態のスピーカ装置を備える実施形態の携帯端末装置を示す模式図である。
【図５】本発明に関連するスピーカ装置を示す断面図である。
【発明を実施するための形態】
【００１２】
以下、本発明の具体的な実施形態について、図面を参照して説明する。
【００１３】
図１に、実施形態のスピーカ装置の平面図を示す。図２に、実施形態のスピーカ装置の断面図を示す。図３に、実施形態のスピーカ装置において、筐体の内面の音孔の周囲に形成された放熱部材を説明するための断面図を示す。
【００１４】
図１に示すように、実施形態のスピーカ装置１は、筐体３と、筐体３の内部に配された振動板としての振動フィルム４と、振動フィルム４を駆動する電磁駆動部５と、振動フィルム４及び電磁駆動部５を支持するフレーム６と、を備えている。
【００１５】
筐体３の壁には、図２に示すように、振動フィルム４が発した音が通る音孔１１が設けられている。音孔１１は、図２及び図３に示すように、筐体３の外面側の、音孔１１の周縁部に、音孔１１の径を拡げるように形成された拡径部１２を有する。拡径部１２は、音孔１１と同心円状に形成された円筒状をなしており、音孔１１の貫通方向に対して段差状に形成されている。音孔１１は、拡径部１２を有することによって、筐体３の外面側から音孔１１に浸入した液体が拡径部１２で抑えられ、筐体３の内面側に液体が浸入することを防いでいる。
【００１６】
筐体３は、図３に示すように、筐体３の内面の音孔１１の周囲に形成された複数の凹凸１４を有している。そして、筐体３の内面には、音孔１１の周囲の凹凸１４を覆うように、放熱部材としての放熱膜１５が、熱伝導性を有する材料によって形成されている。放熱膜１５は、音孔１１を除いて、フレーム６の内側に位置する、筐体３の内面の全域に形成されている。また、筐体３の内面は、凹凸１４を有することによって、放熱膜１５が形成される表面積が増やされるので、放熱性を高めることが可能になる。
【００１７】
図２に示すように、振動フィルム４は、中央部４ａと、中央部４ａの外周側に形成された周縁部４ｂと、を有している。振動フィルム４の周縁部４ｂは、フレーム６の内面に固定されている。
【００１８】
振動フィルム４の中央部４ａは、放熱性を有する材料によって形成されている。なお、振動フィルム４の中央部４ａ及び放熱膜１５は、例えば銅等の熱伝導性が比較的高い材料によって形成されている。
【００１９】
また、振動フィルム４は、周縁部４ｂも、中央部４ａと同様に放熱性を有する材料によって形成されてもよく、振動フィルム４の放熱性が更に高められるので、筐体３内の液体を更に速やかに除去することが可能になる。
【００２０】
電磁駆動部５は、振動フィルム４の中央部４ａに固定されたボイスコイル５ａと、ボイスコイル５ａの内周部に配された永久磁石５ｂと、を有している。電磁駆動部５は、フレーム６の底面上に固定されている。
【００２１】
以上のように構成されたスピーカ装置１について、筐体３の内部に浸入した液体が除去される状態を説明する。
【００２２】
スピーカ装置１において、筐体３の音孔１１から液体が浸入した場合、液体が、筐体３の内面の音孔１１の周囲や、振動フィルム４に付着する。スピーカ装置１では、電磁駆動部５の駆動に伴って発生する熱によって、振動フィルム４の中央部４ａが加熱されると共に、筐体３の内面に形成された放熱膜１５が加熱される。振動フィルム４の中央部４ａ及び放熱膜１５が加熱されることによって、振動フィルム４や筐体３の内面に付着した液滴を蒸発させて、音孔１１を通して筐体３の外部に除去することができる。
【００２３】
上述したように、実施形態のスピーカ装置１によれば、筐体３の内面の音孔１１の周囲に放熱膜１５が形成されると共に、振動フィルム４の中央部４ａが能熱性を有する材料によって形成されたことによって、筐体３の内部に液体が浸入した場合であっても、筐体３の内面や振動フィルム４に付着した液体を気化させ、音孔１１から筐体３の外部にスムーズに除去することができる。
【００２４】
加えて、本実施形態によれば、振動フィルム４及び筐体３の音孔１１の周囲の放熱性が高められるので、スピーカ装置１全体の放熱性も向上することができる。
【００２５】
最後に、上述した実施形態のスピーカ装置１が適用される電子機器としての携帯端末装置の構成例について、図面を参照して簡単に説明する。
【００２６】
図４に、実施形態の携帯端末装置の模式図を示す。図４に示すように、実施形態の携帯端末装置３１は、上述したスピーカ装置１と、各種の情報を表示する表示パネル３０と、スピーカ装置１及び表示パネル３０と電気的に接続された電気回路（不図示）と、を備えている。
【００２７】
実施形態の携帯端末装置３１によれば、防水性が向上されたスピーカ装置１を備えることで、携帯端末装置３１の取り扱い性を向上することができる。
【００２８】
なお、本発明に係るスピーカ装置は、上述した実施形態のスピーカ装置に限定されるものでなく、例えば、音孔と振動板との間に配された防水膜を備えるスピーカ装置に適用されてもよく、スピーカ装置の防水性を更に向上することができる。
【符号の説明】
【００２９】
１  スピーカ装置
３  筐体
４  振動フィルム
４ａ  中央部
１１  音孔
１５  放熱膜
【図１】
2013038682.tif 000003
【図２】
2013038682.tif 000004
【図３】
2013038682.tif 000005
【図４】
2013038682.tif 000006
【図５】
2013038682.tif 000007